(57)【要約】吸収体２０とそれを被覆するシート部材とを含む吸収性物品１０が更に順応構造体２４を前記吸収体２０の身体側に配置されるように含んでいる使い捨て吸収性物品。該順応構造体２４は柔軟な小包体１８及び粒子状要素１６であって該小包体１８に包まれる相互に移動可能なものを含み、吸収体２０への被吸収物が透過できて幅狭に固定されている。吸収性物品の着用者の排尿口や陰部等の微妙な形状にも確実にフィットさせることにより、着用時の外観にも優れ、装着感を損なうことなく漏れを防ぐことができる。
2004000188.tif 000002
【特許請求の範囲】
【請求項１】
被吸収物を吸収するための吸収体と、前記被吸収物に対する透過性を少なくともその一部に有すると共に該吸収体を被覆するシート部材と、を含む吸収性物品であって、
該吸収性物品は、着用者若しくは動物の陰部及び／又はその近傍に接触して前記陰部及び／又はその近傍の外形に対応して柔軟に変形する接触面を備える順応構造体を、前記吸収性物品の身体側に配置された状態で含み、
該順応構造体は、柔軟な小包体と所定の余裕空間を設けた状態で該小包体に包まれる粒状要素とを含み、前記身体側に幅狭に配置されていることを特徴とする吸収性物品。
【請求項２】
前記小包体の少なくとも１の断面がオメガ（Ω）形状をしており、前記粒状要素が略球状物であることを特徴とする請求項１に記載の吸収性物品。
【請求項３】
前記小包体が液透過性シート材により構成されていることを特徴とする請求項１又は２に記載の吸収性物品。
【請求項４】
前記吸収体が、中央吸収体及び／又はサイド吸収体を含むことを特徴とする請求項１から３のいずれかに記載の吸収性物品。
【請求項５】
前記吸収性物品がその断面においてコの字形状を有し、該コの字形状を構成する要素の少なくとも一部が、前記中央吸収体及び／又はサイド吸収体からなることを特徴とする請求項４に記載の吸収性物品。
【請求項６】
前記順応構造体の前記小包体の少なくとも一部が、前記接触面（第１の面）及び前記吸収体に直接若しくは間接に接する面（第２の面）を除く第３の面に配置された場合であって、該第３の面に配置された前記小包体の少なくとも一部が不透過性であることを特徴とする請求項１から５のいずれかに記載の吸収性物品。
【請求項７】
前記順応構造体は、前記被吸収物が透過し得る厚みを有することを特徴とする請求項１から５のいずれかに記載の吸収性物品。
【請求項８】
被吸収物を吸収するための吸収体と、前記被吸収物に対する透過性を少なくともその一部に有すると共に該吸収体を被覆するシート部材と、
を含む吸収性物品であって、
該吸収性物品は、着用者若しくは動物の陰部及び／又はその近傍に接触して前記陰部及び／又はその近傍の外形に対応して柔軟に変形する接触面を備える順応構造体を、前記吸収性物品の身体側に配置された状態で含み、
該順応構造体は、柔軟な小包体と所定の余裕空間を設けた状態で該小包体に包まれる粒状要素とを含み、前記身体側に幅狭に配置されていることを特徴とする吸収性物品を含む生理用品。
【請求項９】
被吸収物を吸収するための吸収体と、前記被吸収物に対する透過性を少なくともその一部に有すると共に該吸収体を被覆するシート部材と、
を含む吸収性物品であって、
該吸収性物品は、着用者若しくは動物の陰部及び／又はその近傍に接触して前記陰部及び／又はその近傍の外形に対応して柔軟に変形する接触面を備える順応構造体を、前記吸収性物品の身体側に配置された状態で含み、
該順応構造体は、柔軟な小包体と所定の余裕空間を設けた状態で該小包体に包まれる粒状要素とを含み、前記身体側に幅狭に配置されていることを特徴とする吸収性物品を含む下着。
【請求項１０】
前記下着がオムツ、ショーツ、又は、パンツである請求項９に記載の下着。
【発明の詳細な説明】
【技術分野】  本発明は、生理時や失禁時のために用いられる使い捨て吸収性物品に関する。
【背景技術】  従来からの生理用ナプキン等の吸収性物品は、透過性のシートを間に挟んで木材パルプ等からなる吸収体が身体に当接していたため、当接する身体の運動等による当接する身体部位の変形に柔軟に対応することができているとはいえない。従って、これらが身体に十分にフィットしているとはいえない。そのため、身体と吸収性物品の間に隙間が生じて、身体から排出される体液等が吸収体と身体の間の隙間から漏れることもある。また、吸収体が体液等を吸収したときに変形する場合があり、装着初期において身体に十分フィットしていたとしても、後に上述のような身体との間の隙間が形成されることがある。更に、身体の運動等により圧力が上記吸収体に加わったときに、既に吸収した体液等が漏れ出すおそれもある。このような課題を解決する手段として、ビーズを用いた順応性構造の吸収体製品等が開示されている（特開平４−２６３８５７号公報）。
しかし、開示されているのは、ビーズが平坦面の全体に配置される平坦なナプキンや、ビーズが中心部に配置され吸収体に包まれている円筒状のタンポンである。このようなナプキン構造では、身体へのフィット性が不十分で尻に違和感を感じやすく、また、着用者の身体、特に、排尿口や陰部の微妙な形に十分に順応させることができず、尿や血液の確実な受け止めや吸収が妨げられやすい。このようなことから、漏れが生じて下着が汚れることもあり得る。
そこで、吸収性物品の着用者の排尿口や陰部等の微妙な形状にも確実にフィットさせることにより、着用時の外観にも優れ、装着感を損なうことなく漏れを防ぐことができる順応構造体の構造を見出し、この順応構造体を他の生理用品等に応用できるようにするのが、本発明の課題である。
【発明の開示】
本発明は、以上のような課題に鑑みてなされたものであり、その目的は、吸収性物品の着用者の排尿口や陰部等の微妙な形状にも確実にフィットさせることにより、着用時の外観にも優れ、装着感を損なうことなく漏れを防ぐことができる順応構造体の構造を提供することである。既に開示されたビーズを用いた順応性構造では、吸収性物品が当接する身体の立体的な形状が十分に考慮されておらず、順応性があれば身体との間の隙間が減少し若しくは無くなると希望されていた。しかし、身体の立体的な形状や座位等異なる体勢間の変化の際に、隙間が形成される場合もある。そこで、本発明では、吸収性物品の立体的な形状及びその変化を考慮して、適正な部位に順応性構造体を配置することにより、及び／又は、順応性構造体の構成要素の構造に工夫を加えることにより、上記課題を解決することができる。
即ち、吸収体とそれを被覆するシート部材とを含む吸収性物品が更に順応構造体を前記吸収体の身体側に配置されるように含んでいる使い捨て吸収性物品において、該順応構造体は柔軟な小包体及び構造要素であって該小包体に包まれる相互に移動可能なものを含み、吸収体へ被吸収物が透過できて幅狭に固定されていることを特徴としている。
より具体的には、本発明は、以下のようなものを提供する。
（１）  吸収体と、この吸収体の被吸収物に対する透過性を少なくともその一部に有すると共に該吸収体を被覆するシート部材と、を含む吸収性物品であって；該吸収性物品は、着用者若しくは動物の陰部及び／又はその近傍に接触して前記陰部及び／又はその近傍の外形に対応して柔軟に変形する接触面を備える順応構造体を、前記吸収性物品の身体側に配置された状態で含み；該順応構造体は、柔軟な小包体と、所定の余裕空間を設けた状態で該小包体に包まれる粒状要素と、を含むと共に、前記被吸収物が透過し得る厚みを有し、前記身体側に幅狭に配置されていることを特徴とする吸収性物品。
ここで、吸収体は、尿、血液、その他の体液、水、その他の液状のものや固形物との混合物、及び、これらの任意の組合わせからなる混合物のうち少なくとも１つを吸収することができるものを含んでよい。
シート部材は、トップシート及び／又はバックシートを含んでよい。トップシートは、液体透過性を有するシートでよく、例えば、ポリエチレン（ＰＥ）／ポリエチレンテレフタレート（ＰＥＴ）、ＰＥ／ポリプロピレン（ＰＰ）、ＰＰ／ＰＰ等の合成繊維からなる親水性不織布から選ぶことができる。
バックシートは、液体不透過性を有してよく、プラスチックフィルムやラミネートシートを好適に用いることができる。例えば、ＰＰ、ＰＥＴの複合繊維からなるスパンレース不織布、フィルムと不織布の複合シート等から選ぶことができる。また、所定の耐久性を持つことが好ましい。必ずしも必要とは限らないが、外観や肌触りの良い面であることが好ましく、色や柄をつけることができる方がより好ましい。
着用者は、一般にヒトであるが、老若男女を限定しない。動物は、ヒト以外の動物であることが好ましく、ヒト以外の哺乳類が更に好ましい。
陰部は、一般にはヒトの男女の外部生殖器を意味してよいが、上記動物の場合は、それに相当する器官を意味してよい。従って、「その近傍」とは、このような外部生殖器の近傍を意味してよく、尿道口等やそれ以外の主に外部にある身体の部位であって、吸収性物品が当たる可能性のある部分を含んでよい（動物では、相当部位）。
陰部及び／又はその近傍に接触する接触面は、上述の陰部及び／又はその近傍が直接又は間接を問わず圧力を与えるように接触する前記順応構造体の接触面を含んでよい。「直接」とは、接触面と上記陰部等との間に介在物が存在しないことをいい、「間接」とは、接触面と上記陰部等との間に介在物が存在することをいってよい。介在物は、液体・固体を問わず、例えば、前記シート部材のようなものを含んでよく、これらの介在物は、形状柔軟性があってよく、接触面の変形機能を著しく害しないものが好ましい。従って、陰部及び／又はその近傍の外形に対応して柔軟に変形する当該接触面は、例えば、外部生殖器のような身体外部形状の外形に沿うよう変形してよい。ここで、「対応して柔軟に」というのは、該接触面が柔軟であり、前記陰部及び／又はその近傍の外形を変形することなく又はその外形に影響を与えつつ該接触面の形状が変化することを含んでよい。
順応構造体は、以上のように接触する陰部及び／又はその近傍の外形に柔軟に対応する接触面及びその接触面を介して変形する内容物を含んでよい。このような吸収性物品は、一般に身体側と反身体側の２つに分けることが可能である。身体側とは、接触する身体の外形により近い側ということであり、反身体側とは、それ以外の側ということである。従って、身体側に配置される上記順応構造体は、比較的身体の外形に接触しやすいところに配置されている。前記吸収性物品は、少なくとも前記順応構造体と、前記吸収体と、を含むため、通常、該順応構造体が身体側に、前記吸収体が反身体側に配置される。
前記シート部材は、少なくともその一部に前記吸収体に吸収される被吸収物に対して透過性を有してよく、例えば、トップシート全体又は一部が透過性を有してよい。被吸収物は、吸収体に吸収されうる如何なる物質であってよく、そのような物質の少なくとも一部が透過できる場合に透過性を有するとしてよい。
前記シート部材は、前記吸収体を被覆するが、直接吸収体に接している必要は必ずしもなく、その配置には、自由度がある。例えば、前記シート部材の少なくとも一部が、接触面に配置された場合は、該シート部材は前記順応構造体及び前記吸収体の両者を包むこととなり得、該シート部材の少なくとも一部が前記順応構造体の小包体の少なくとも一部を兼ねる、若しくは、前記小包体と重なって前記順応構造体及び前記吸収体を包んでもよいこともある。一例として、前記吸収体を被覆する前記シート部材が、前記順応構造体の小包体を兼ねて、一体として、前記吸収体及び前記順応構造体の内容物を包むようにしてよい。即ち、前記シート部材は、１枚の平坦なシート形状にとどまらず、いくつかのシートが結合した複合シート形状（立体的な形状を含んでよい）をとってよい。
柔軟な小包体は、順応構造体の前記接触面の少なくとも一部を覆うものであり、この順応構造体の内容物を変形、接触させるもの（例えば、陰部）の押し圧、その他の要因により、前記小包体の少なくとも一部は、柔軟に変形されうる。かかる小包体の少なくとも一部が配置される前記接触面は、上述のように、例えば、直接又は間接に、前記陰部及び／又はその近傍の外形に接触してよい。ここで、「直接」とは、前記接触面が直に前記陰部及び／又はその近傍の外形に接触することを意味してよく、「間接」とは、前記接触面と、前記陰部及び／又はその近傍の外形と、の間に何かが介在することを意味してよい。上記「何か」とは、固体、液状体等如何なる状態又は形態を有するものを含んでよいが、前記接触面の変形機能を著しく害することがないものが好ましい。例えば、前記シート部材を介在物として、前記陰部等の外形と、接触面に配置された前記小包体の少なくとも一部と、の間に挟んでもよい。この小包体に所定の余裕空間が設定された状態というのは、この小包体に包まれた内容物がこの小包体に溢れんばかりに充填している状態ではなく、必要であるならば、追加の内容物（同種異種を問わない）が更に包むことができる状態を意味してよい。
前記所定の余裕空間は、その相対値である余裕空間率から計算できるが、この余裕空間率は例えば以下のようにして表すことができる。即ち、かかる内容物を該小包体に完全に充填したときの内容物の体積Ａから、実際に入っている内容物の体積Ｂを引き、その差を先の体積Ａで割って百分率で表したものである［（（Ａ−Ｂ）／Ａ）×１００］。例えば、球形状をしたある小包体Ｐにある小径を持つ球ｑを詰める場合、Ｐの容積が１００ｃｍ３であったとしても、上記球ｑを精一杯詰めたときの全体積が例えば５０ｃｍ３であることもありえ、実際に詰めた球ｑの全体積が３０ｃｍ３であれば、余裕空間率は、（（５０−３０）／５０）×１００＝４０％となる。また、実際の内容物の体積Ｂを完全に充填したときの内容物の体積Ａで割って百分率で表したパッキング率を用いてもよい［（Ｂ／Ａ）×１００］。このような、余裕空間率は、好ましくは約２０％〜約８０％、より好ましくは約３５％〜約６５％である。尚、この余裕空間率を計算するにあたって、▲１▼小包体の伸縮が小さい又は内容物を詰めた時の伸縮が一定になるように詰めることと、▲２▼小包体は十分柔軟性があり内容物を詰めた時に自然と最適な形状に変化することが前提とされている。つまり、小包体の詰め込み口のところを持つことにより保持し、小包体を宙に浮かせた状態で内容物を詰める等、内容物の詰め方を一定とする前提等である。粒状要素とは、上記小包体に包まれている内容物であり、所定の条件下でその数を数えることが可能である。この粒状要素は、自身が分裂若しくは分割される場合を含んでよく、また、自身が他の粒状要素と結合してより大きな粒状要素となることを妨げない。この順応構造体は、前記身体側に幅狭に配置されていてよい。幅狭とは、短冊のように細長い状態を表すことを含んでよい。
（２）  前記小包体の少なくとも１断面がΩ形状をしており、前記粒状要素が略球状物であることを特徴とする上記（１）に記載の吸収性物品。
ここで、前記小包体の断面は、内容物の１つである粒状要素を含んで立体形状を有する小包体を任意のある平面で切った場合に見られる断面形状を含んでよいが、より好ましくは、着用者等の前後方向に略垂直な断面の断面形状を含んでよい。断面形状がΩ状というのは、前記小包体の断面において、巾着袋のように少なくとも１つのくびれ形状を備えた略円状の形状をしていることを意味してよい。くびれは、小包体により包まれる空間の外に位置する外部空間に通じる隙間（空間）を含んでよく、その隙間が十分に細くなっていることを含んでよい。この外部に通じる空間から、内容物の１つである粒状要素を出し入れすることができ、順応構造体の使用時は、何らかの方法によりかかる外部に通じる空間が狭められ、内容物である粒状要素が外部に出にくくなる若しくは出られなくなる状態になっていることを意味してもよい。また、粒状要素が略球形状をしているとは、粒状要素が、球形状、俵型球形状、扁平球形状等をしていることを含んでよく、これらの種々の球形状に欠落部（又は欠陥）を含んだものであるものをも含んでよい。例えば、半球形状も含まれる。更に、粒状要素が複数個集まって同様な形状をすることを含んでよく、また、１つの粒状要素が複数個に分解や分裂した場合を含んでもよい。
（３）  前記小包体が液透過性シート材により構成されていることを特徴とする上記（１）又は（２）に記載の吸収性物品。
ここで、液透過性シート材とは、液体やその他の流体が透過できるシート状の材料を含んでよい。このようなものとして、例えば、ＰＥ／ＰＥＴ、ＰＥ／ＰＰ、ＰＰ／ＰＰ等の合成繊維からなる親水性不織布から選ぶことができる。パッキングカバー材とも呼んでよい小包体は、その一部がトップシートの一部と同一であってもよい。
（４）  前記吸収体が、中央吸収体及び／又はサイド吸収体を含むことを特徴とする上記（１）〜（３）のいずれかに記載の吸収性物品。
ここで、中央吸収体とは、吸収性物品を装着する装着者の前後方向にやや幅狭の状態で延びる吸収体であって、左右方向略中央に位置する吸収体を含んでよい。吸収体は吸保水層又は液保持層を含んでよく、ティッシュに挟まれたＳＡＰ、パルプ等の親水性繊維や合成繊維又はこれらの混合物から構成されてよい。限られること無く、１例として、ＳＡＰの目付けは約３１０ｇ／ｍ２、パルプの目付けは約４００ｇ／ｍ２、又は、パルプ目付けの２割〜３割程度の合成繊維を混合し熱処理してシート状にしてもよい。また、サイド吸収体は、上記中央吸収体（無い場合は中央線）の装着者からみて左右の側に装着者の前後方向にやや幅狭の状態で延びる吸収体を含んでよい。吸収体は吸保水層又は液保持層を含んでよく、ティッシュに挟まれたＳＡＰ、パルプ等の親水性繊維や合成繊維又はこれらの混合物から構成されてよい。限られること無く、１例として、ＳＡＰの目付けは約３１０ｇ／ｍ２、パルプの目付けは約４００ｇ／ｍ２、又は、パルプ目付けの２割〜３割程度の合成繊維を混合し熱処理してシート状にしてもよい。
（５）  前記吸収性物品がその断面においてコの字形状を有し、該コの字形状を構成する要素の少なくとも一部が、前記中央吸収体及び／又はサイド吸収体からなる（４）に記載の吸収性物品。
ここで、コの字形状とは、例えばコップの縦断面で表されるコの字形状であってよい。コの字形状を構成する要素は、上側横棒、上側横棒の端部で接続する右側縦棒、右側横棒の端部に接続する下側横棒の３つの要素を含んでよい。これらの要素のうち少なくとも１つが中央吸収体及び／又はサイド吸収体の断面により構成されていてよい。
（６）  前記順応構造体の前記小包体の少なくとも一部が、前記接触面（第１の面）及び前記吸収体に直接若しくは間接に接する面（第２の面）を除く第３の面に配置された場合であって、該第３の面に配置された前記小包体の少なくとも一部が不透過性であることを特徴とする上記（１）から（５）のいずれかに記載の吸収性物品。
ここで、「前記吸収体に直接若しくは間接に接する面（第２の面）」とは、前記吸収体に対して吸収性のある物質（被吸収物）がその第２の面を通って前記吸収体へ到達し得るように配置されている面を意味してよく、例えば、直接接する面では、その面を通過すると、該被吸収物は直ちに前記吸収体に接触することができ、間接に接する面では、その面及びその他の介在部材を通過して該被吸収物は前記吸収体に接触することができる。従って、上記被吸収物が第３の面を通過しても、本発明にかかる吸収性物品の系内において、該被吸収物は前記吸収体に到達しないこととなる。ここで、小包体は１枚のシート状の部材であってもよく、また、複数のシート状の部材が一部重なり合う等の関連性を有する複合部材であってよい。上述の透過性に関する機能は、かかる複合材全体として発揮すればよい。
（７）前記順応構造体は、前記被吸収物が通過し得る厚みを有している上記（１）から（６）いずれかに記載の吸収性物品。
（８）  上記（１）から（７）のいずれかに記載された吸収性物品を用いた生理用品。
ここで、生理用品とは、生理ナプキン、陰唇間パッド等の陰唇間製品、タンポン等を含んでよい。
（９）  上記（１）から（７）のいずれかに記載された吸収性物品を用いた下着。
（１０）  前記下着がオムツ、ショーツ、又は、パンツである（９）記載の下着。
【発明を実施するための最良の形態】  次に、本発明による吸収性物品等の実施例について、図を参照しつつ説明するが、これらの実施例では１つの具体的な例として寸法、材料、構造や構成が挙げられているに過ぎず、本発明はこれらの実施例に限られるものではない。
［第１実施形態の複合生理用品］
まず、第１実施形態の複合生理用品の基本構成について説明する。図１Ａは、第１の実施形態である吸収性物品の略中央の横断面を示している。
第１実施形態である吸収性物品１０は、その断面形状が高さの低いシルクハット断面形状になっている。一番上に、前記シート部材に相当する実施例の１つであるトップシート１２、次に、小包体（又はパッキングカバー材）１８に被覆（又は包含）された粒状要素（又はパッキング材）１６を含む順応構造体２４、その下には、第１の吸収体２０が、更にその下には、幅が広い第２の吸収体２２が断面矩形形状にて配置されている。この第２の吸収体２２は、前記シルクハット断面形状のつば部分にまで広がっており、上記順応構造体２４及び第１の吸収体２０を積み重ねた集合体が図中該第２の吸収体２２の上で略中央部に配するようになっている。この第２の吸収体２２の下には、バックシート１４が第２の吸収体２２全体をその上に載せるように配置されている。上記最上小包体面が上記トップシート１２を介して身体に接するようになっており、こちら側が前述の身体側になり、この最上小包体面が順応構造体２４の接触面１９を構成する。吸収性物品を身体側と反身体側とに分けるならば、このように順応構造体２４は、吸収性物品１０の身体側に配置されていることがわかる。トップシート１２は上述のように全体を上から覆っているが、柔軟で変形が容易であり、特に上記接触面に接する部分は、接触する着用者等の陰部等の外形に対応して変形される。従って、トップシート１２は、上述のシルクハット断面形状の上側輪郭線に沿って中央に凸部を設けたステップ形状となっている。トップシート１２とバックシート１４は、接合部１５において接合されており、第２の吸収体２２から漏れる体液等がこの吸収性物品１０の系外に漏れることを防ぐことができる。この接合は、ホットメルトその他の接着等で可能である。
図１Ｂは、この吸収性物品１０の平面図（但し、トップシート１２は、全体を覆っているのでトップシート１２を透視した状態で表示）を示している。トップシート１２（図１Ｂでは、順応構造体２４等全体を覆っているため、トップシート透過状態で表示されている）に覆われた順応構造体２４は、図１Ｂ中において吸収性物品１０の略中央に位置し、装着者からみて前後方向に延びる長さに比べ、装着者からみて左右方向に相当する方向に広がる幅が狭い態様で配置されている。順応構造体２４の前方（図中は上側）には第２の吸収体２２の前方部分２６があり、後ろ（図中は下側）に第２の吸収体２２の後方部分２７があり、左右には第２の吸収体２２のサイド部分２８が配置されている。このような区分けは、第２の吸収体２２にあるスリット等（図１Ａには図示せず）によりすることができる。
トップシート１２は、ＰＥ／ＰＥＴ、ＰＥ／ＰＰ、ＰＰ／ＰＰの親水性繊維からなるスルーエアー不織布からなり、その目付けは２６ｇ／ｍ２である。バックシート１４は、ＰＥフィルムからなり、その目付けは２２ｇ／ｍ２である。順応構造体２４は、透湿性で疎水性であり、幅が約３５ｍｍ、長さが約１７０ｍｍ、厚みが約１５ｍｍである。この順応構造体２４は、吸収体全面に配置することができるが、より好ましくは排尿口付近や、圧力が加わって液浸透が妨げられる部分に効果的に用いられうる。また、違和感等を考慮すると吸収性物品１０の幅方向にも相当する順応構造体２４の幅は、約３０〜約５０ｍｍが好ましく、長さは、約１００〜約２００ｍｍが好ましい。また、厚みは、約５〜約３０ｍｍが好ましく、より好ましくは、約１０〜約２０ｍｍである。大きすぎると違和感が著しく増し、小さすぎると順応構造体２４の機能が著しく低下するからである。ここで、順応構造体２４の機能とは、接触した外形に対応して柔軟に変形するだけでなく、接触面から浸入する体液等を十分に拡散させて、その下にある吸収体へと透過する機能を含んでいる。また、この拡散によって、その下の吸収体へ体液等を透過するスピードが制限される。
順応構造体２４の粒状要素１６の小包体１８へのつめ方を本実施例の場合を具体的に上げつつ説明する。小包体１８のスルーエアー不織布を所定寸法で準備し、少なくとも一部を残して袋状の形状を形成する。その袋形状の中に粒状要素１６をこの残した一部から詰める。この粒状要素１６としては、例えば、ＰＰペレットや発泡ビーズ等が好適に用いられる。本実施例では、３０００ｇ／ｍ２のＰＰペレットと２００ｇ／ｍ２のポリスチレン製の発泡ビーズを用いた。これらの要素の平均直径は、約４ｍｍであった。最後に、残しておいた一部を閉じて接合して順応構造体２４を完成させる。小包体１８の袋形状は本実施例の場合のように、１枚のシートから１つの袋を包み込むように作成することもでき、また、２枚のシートでそれぞれに半球・半楕円球を作り、それらを接合しても、また、３枚のシートや４枚のシート等、複数のシートをつなぎ合わせて成形することもできる。
本実施例に用いた粒状要素１６は、圧縮変形の少ない約５ｍｍ前後の粒子状物であって、それぞれが独立しており、小包体１８外部からの加圧により、小包体内部で移動可能である。用いるビーズの種類や形状等については、種々の必要な条件を考慮にいれ選択することが好ましいが、例えば、ポリオレフィン系やスチレン系のペレットや中空ビーズ、発泡ビーズ等が好適に用いられうる。目付けは、原材料の比重により大きく変化するので簡単に限定できるものではないと考えられるが、前述の余裕空間率若しくはパッキング率を用いて好ましい範囲を選ぶことができる。ビーズの大きさは、約１〜約１０ｍｍのものが好適に用いられ、より好ましくは、約５ｍｍ前後である。必要な柔軟性・順応性や拡散性に応じて決められるべきものであるが、ビーズの大きさは必ずしも均一である必要がなく、また、材料を変えるなどして密度勾配をつけることも可能である。ビーズの表面処理を行うことにより、また、ビーズの原材料を適正に選択することにより、ビーズに消臭機能や抗菌機能等を付加することが可能である。
本実施例の吸収性物品１０を装着すると、順応構造体２４を構成する粒状要素１６が、着用者の体圧等によって、股間部の形状に沿うように流動的に移動するため、吸収性物品１０が身体に密接にフィットするようになる。排泄物が出ると、それは、トップシート１２を透過してから、順応構造体２４内の粒状要素１６間の隙間を拡散して、前記順応構造体２４と第１の吸収体２０の境界面（上記第２の面に相当する実施例の１つ）を通過して該吸収体２０に達する。たとえ、座位等の体圧が加わったとしても、順応構造体２４は一定の容積を維持し、また、密度変化がほとんど無いので、液の透過拡散を妨げないと考えられる。また、吸収体２０、２２に加わる圧力を分散させることができるので、吸収体２０、２２の吸収能力も加圧による影響を受けにくくなりうるという利点がある。以上のような構成を有しているので、本実施例の吸収性物品１０を装着すると、股間形状に沿ってフィットし身体と密着することができる。また、様々な方向から圧力がかかった場合でも、順応構造体２４は、一定の容積を維持するため、瞬間吸収性に優れるという利点もある。更に、密度変化がほとんど無いため、体勢により吸収性能が影響を受けにくいという利点もある。
ここで、順応構造体２４の具体的な寸法等について、着用者に含まれる女性の身体的特徴を参照しつつ、説明する。順応構造体２４は、着用者が着用した場合、陰裂開始付近から肛門付近までに延びていき、女性の股間部の微細な凹凸に応答（又は順応）し隙間を埋めて、排尿口或いは膣口に常に密着し、体液等の液を透過させて中央吸収体に導くことができる。このような機能を果たすため、本実施例の順応構造体２４は、上述の寸法に加えて、次のような寸法を有してもよい。即ち、長さが約１７０ｍｍで、幅が約４０ｍｍで、厚さが約１５ｍｍである。これは、女性の平均的身体特徴として、前陰唇から肛門までが約１００〜約１４０ｍｍであり、尿道口から後陰裂までは約５０ｍｍであり、前陰唇から尾てい骨までは約２５０ｍｍであるからである。ここでは、上記順応構造体２４の長さを約１７０ｍｍとしたが、例えば、約５０ｍｍより短くすると十分に隙間を埋めるだけの長さが足りず、逆に約２５０ｍｍより長いと着用者は違和感を感じるようになると考えられる。平均的女性の股間幅は、最短部で約３０ｍｍあり、最大部で約９０ｍｍである。従って、上記順応構造体２４の幅を約４０ｍｍとしたが、これが約１０ｍｍより短いと十分に隙間を埋めることができず、１００ｍｍより長いと違和感が生じることとなる。また、平均的女性の陰部深さは約５〜約２０ｍｍであるので、上記順応構造体２４の厚みを約１５ｍｍとしたが、これが約５ｍｍより薄いと隙間を十分には埋めることができず、約３０ｍｍを超えると違和感が著しく増大すると考えられる。
ここで、１例として、巾が約５０ｍｍで、長さが約１７０ｍｍの順応構造体２４の場合を取り上げ、例えば径が６ｍｍ又は３ｍｍであるビーズを内容物として詰める場合について述べる。以下の表１に、ビーズの充填量やその結果得られる余裕空間率等の結果をまとめて示す。
2004000188.tif 000003
表１において、マル、三角、バツ等によって、余裕空間率の好ましさが評価されている。この評価は、本実施例の範囲で絶対的な尺度と考えることも可能であるが、種々の条件下で評価される場合は、必ずしも絶対値が一致するとは限らない。従って、表中の「上限」、「下限」は、おおよその目安と考えるのが妥当である。むしろ、以下のように、相対的な関係を重要視することができる。実施例１−３がかなり小さい余裕空間率（かなり大きいパッキング率）を持つため、実施例１−２は実施例１−３より好ましい。また、実施例１−４がかなり大きい余裕空間率（かなり小さいパッキング率）を持つため、実施例１−５は実施例１−４より好ましい。同様に、実施例１−８が比較的小さい余裕空間率（比較的大きいパッキング率）を持つため、実施例１−７は実施例１−８より好ましい。また、実施例１−３がより小さい余裕空間率（より大きいパッキング率）を持つため、実施例１−８は実施例１−３より好ましいと考えられる。このようにおおよその目安であっても、ビーズの径が異なるものにおいても余裕空間率の好ましさを比較することが可能と考える。
図２Ａ及び図２Ｂに、女性の股間の形状を模式的に示している。図２Ａは、女性の身体の左右方向略中央部における断面形状を表している。この図において、２０２は臍（へそ）を示している。前面の部位Ａである恥骨部はなだらかなおわん状形状をしており、横からの圧力が殆どないと思われる。部位Ｂの膣口部では若干身体側（図中上側）に湾曲しており、ここで横からの圧力が最もかかることとなる。従ってこの部分において、上記順応構造体２４が中央部で上に凸となると膣口に接することができることとなる。部位Ｃは、お尻の部分で、横からの圧力は少なく、お尻の割れ目が始まることとなる。図２Ｂでは、下から股間を見上げた下視図を示している。上述の部位Ａ、部位Ｂ、部位Ｃが、略中央に順に並んでいることがわかる。両側の楕円は、両足２１０である。
図３Ａ、図３Ｂ、図３Ｃ、図３Ｄ及び図３Ｅは、順応構造体２４の粒状要素１６を小包体１８に様々な形で詰めた例を示している。例えば、小包体１８は、順応構造体２４の上下面に液透過性を有していればよい。図３Ａのように、側面１８ｂを液不透過性にして液の流れを縦方向にコントロールすることができる。この側面１８ｂは、上述の第３の面に相当する実施例の１つである。ここでは、フィルムを開孔した上面１８ａ及び下面１８ｃと、非開孔の側面１８ｂと、を組み合わせて構成することもできる。また、図３Ａで小包体の上面１８ａ及び下面１８ｃに貫通孔が形成されている。従って、小包体の上面１８ａ及び下面１８ｃが液不透過性であっても、液を透過させることができる
また、図３Ｂは、頭頂部がやや広がったシルクハット断面形状の第１の小包体１８ｄと、そのつば相当部に並んで該小包体１８ｄの開口部を閉じるように蓋をする第２の小包体１８ｅと、により粒状要素１６が包まれている。これらの主要部の側面には、疎水性シート１７（第３の小包体に相当）が配置されている。これらのシート１７、１８ｄ、１８ｅを総合して小包体と考えることができ、疎水性シート１７は、この小包体の側面（第３の面に相当する実施例の１つ）に不透過性の機能を付与することになる。この第１の小包体１８ｄの断面形状は、下に行くほど窄まるため、広義の意味でオメガ（大文字）形状ということができる。小包体１８ｄ、１８ｅは、液透過性であってもよい。
図３Ｃは、幅方向の中央に高い山の形状をした第４の小包体１８ｆと、その底辺に相当するところに平らに延びる第５の小包体１８ｇと、により、底辺を下にした断面三角形の形状をした空間を規定することができる。この空間に粒状要素１６が包含され、また、山形状の両脇斜面を形成する第４の小包体１８ｆの外側に疎水性シート１７（第６の小包体に相当）が配置されている。これら第４、５、６の小包体を総合して小包体に相当すると考えてよい。前記疎水性シート１７（第６の小包体に相当）により、この実施例の小包体は、側面（第３の面に相当する実施例の１つ）に不透過性という機能を有している。これらの実施例の断面形状だけでなく、順応構造体２４の断面は、楕円や台形、三角形のような形状にすることもできる。また、第４の小包体１８ｆ及び第５の小包体１８ｇは、液透過性であってもよい。
図３Ｄでは、吸収体を被覆するシート部材が順応構造体２４の小包体を兼ねていることに相当する実施例の１つを示している。トップシート１２をその最上小包体面に有する順応構造体２４は、第７の小包体に相当するトップシート１２の一部（頭頂部）と、カップ状の小包体１８ｈ（第８の小包体に相当する実施例の１つ）と、その側面にある疎水性シート１３（第９の小包体に相当）と、前記第７と８の小包体に囲まれた空間配置される内容物である粒状要素１６と、からなっている。ここでは、疎水性シート１３が、吸収体２０の側面まで延びており、その側面の液漏れをより効果的に防止することができる。このようにトップシート１２が小包体の少なくとも一部を兼ねるようにしてもよい。
ちなみに前記第２の面に相当する面について、図３Ｅは、いわゆる小包体１８ｉの断面形状をΩ状にして粒状要素１６を詰め込んだ典型的な順応構造体２４（小包体１８ｉと粒状要素１６から構成）を含む吸収性物品の例である。この小包体１８ｉの断面形状は、狭義において、オメガ（大文字）形状をしている。この吸収性物品では、順応構造体２４の小包体１８ｉの上部が接触面となっており、トップシート１２の前記接触面当接部を介して着用者の陰部等に接触する。このとき、着用者の体液その他の液状物は、かかる当接部を通して接触面に到達し、その接触面を透過して順応構造体２４の内容物である粒状要素１６に接触するようになる。
図４は、第１実施形態の吸収性物品２０を腰の周り全体を包み込む被服材と一体化して、パンツ型オムツ３０に応用したものである。順応構造体３８は、着用者の陰部３６に密着するようになっている。図５は、図４のオムツを展開した際のシート３２である。吸収性物品２０は、パンツ形状を構成するシート３２に貼付されている。
［第２実施形態の複合生理用品］
図６は、第２の実施形態である陰唇間パッドに順応構造体２４を適用した吸収性物品４０を略中央部で切断した断面図を示す。ここでは、陰唇間パッドが展開された状態ではなく、折り曲げ又は湾曲されて、装着時又はその直前の時の状態を表している。陰唇間パッド（吸収性物品に相当する実施例の１つ）は、断面において、左に開口を設けた横倒しＵ字状（又はコの字状）の形状をしており、その右側が身体側となる。最も身体側に近い所にトップシート１２、及び、小包体１８に包まれた粒状要素１６から構成される順応構造体２４が固定されている。従って、トップシート１２が、前記順応構造体２４の小包体１８の一部を兼ねることとなる。このとき、右側に突き出るように湾曲した外面が接触面１９に相当し、この実施例では、小包体１８がその接触面１９に配置され、直接陰部等に接触することとなりえる。接触によりその陰部等の形状に応じて前記順応構造体２４の接触面１９が変形する。このような吸収体２２は、トップシート１２とバックシート１４に挟まれるようにして配置されている。トップシート１２とバックシート１４は、接合部１５で接続されている。これら構成要素の材質や特性は、上述の第１の実施例と同様である。
図７は、中央線で２つに折られた陰唇間パッドを展開したときの平面図である。順応構造体２４と周辺にあるトップシート１２の境目４２が楕円状に表されている。
［第３実施形態の複合生理用品］
図８及び図９は、本発明の第３の実施形態であるパンツ型オムツを示す。図８は、パンツ型オムツ５０の略中央部横断面（図９のＸ−Ｘ’断面）を示したものである。トップシート１２が全体の上面を覆っており、図９中、左右方向において略中央の位置で、トップシート１２のすぐ下に粒状要素１６を小包体１８で包み込んだ順応構造体２４が断面略矩形形状で、中央に凸部を持ついわゆる表彰台形状の中央凸部分を形成している。３つの断面略矩形形状で描かれている吸収体２３が互いに略同じ高さの位置に並んで配置され、前記表彰台形状の土台部分を形成している。これらの吸収体２３は、中央の中央吸収体とその両側にあるサイド吸収体に分けられている。これらの吸収体２３の下側にはバックシート１４が配置され、両サイドの接合部５２（トップシート１２とバックシート１４とを接合）の下には弾性体５６がそれぞれ配置されている。これらの弾性体５６の下には、小包体シート５４が配置されている。
図９は、このパンツ型オムツ５０を開いて展開したものである。図９中、吸収性物品２０（図８が示すものの主要部）の上側にある前方シート６６の両サイドには、図中上下に延びる縦長の接着部５８が配され、吸収性物品の下側にある後方シート６８の両サイドに上下に延びる接着部６０が配されている。これらの接着部５８、６０は、右サイド又は左サイドで１対の接着部を構成し、図９に示される展開した状態からパンツの立体形状を形成するようにホットメルト等の公知の技術で接合することができる。このオムツの略中央部には、トップシート１２の下に順応構造体２４が幅狭に配置され、その下側には、３つの吸収体２３から構成される吸保水層が配置される。図８中接着部５２の下側には、弾性体５６がバックシート１４と小包体シート５４に挟まれるように配置され、着用者の足に密着しやすく、漏れが少なくなるより好ましい構造となっている。また、後方シート６８には、図９中左右方向の略中央部を除いてその両側に弾性体６２をまばらに均等に配置した弾性部分があり、その上には、腰に固定するための弾性体６４を配置した弾性部分が設けられている。
［第４実施形態の複合生理用品］
図１０及び図１１は、本発明の第４の実施形態であるパンツ型オムツの前駆体７０を示している。この前駆体は、身ごろシート（アウター）と一体化し、組立てることによって、ウェスト開口と一対のレッグ開口を有するパンツ型使い捨てオムツとなる。図１０は、その略中央部に吸収性物品（図１０に断面で示されるものの主要部）を配置したオムツの横断面（図１１のＸ−Ｘ’断面）を示している。図８と同様に断面形状は、中央に凸部を持ついわゆる表彰台形状をしており、上から、トップシート１２が吸収性物品の上面全体を覆っており、その下に粒状要素１６を小包体１８に包むことにより形成される順応構造体２４が配置され、その下に、スリット２１は入っているが、完全には分離されていない吸収体２２が配置されている。この吸収体２２の下には、バックシート１４が配置され、両サイドに延びるサイドシート７３の下に弾性体７１がそれぞれの側に配置されている。その下には、小包体シート５４が配置されている。
図１１は、このパンツ型オムツ前駆体７０を広げて上から見た平面図である。吸収性物品において略中央部に、幅狭で順応構造体２４が前後方向に配置され、図中その吸収性物品の下側には前方吸収体２６（第１吸収部）が、図中その上側には後方吸収体２７（第１吸収部）が、その両脇にはサイド吸収体２８（第２吸収部）が配置されている。両サイドの湾曲部分下方にはレッグ股下ギャザー部７２があり、そこに弾性体７１が配置されている。また、両サイドの湾曲部分上方には、レッグ脇部７４が配置されている。図中後方吸収体２７の上側には後方シート６８があり、その中央部（弾性体なし）の両脇には、図中略水平に両サイド端へと延びる弾性体６２を配した弾性部を有する。後方シート６８の上端には、図中略水平に弾性体６４を配した弾性部がある。
第１吸収部は、少なくとも一層以上から成ることができ、股下中央部の順応構造体２４は、厚みが約１０ｍｍ以上ある。そのため、加圧に対して一定の厚みを維持することができる。また、股下中央部の順応構造体２４の幅は約５０ｍｍ以下であって、全体的には、砂時計型（若しくは亜鈴型）になることが好ましい。第２吸収部は、上記順応構造体２４の両側に１対で配置される。第２吸収部は、第１吸収部と一体となることもでき、或いは、分割して独立したものでもよい。このパンツ型オムツ前駆体７０を組立ててオムツにし、それを着用すると、これらの吸収体は船底型を呈することが多い。レッグ股下ギャザー部７２は、サイド吸収体２８の前方側であって湾曲した端部に配置してあるが、ここには、１又はそれ以上の弾性体７１を伸張状態で貼付けた後、この伸張を緩めることによりギャザーが形成される。レッグ脇部７４は、レッグ股下ギャザー部７２と共に足ぐり周りに実質的に連続して配置される。レッグ脇部７４は、伸張性（又は伸縮性）シートに伸縮弾性部材を非伸張状態で貼付け形成することができる。
［第５実施形態の複合生理用品］
図１２及び図１３は、本発明の第５の実施形態であるもう一つのパンツ型オムツ８０を示している。このパンツ型オムツは、図１３の展開図において、図中下側にある前方シート６６の両サイドの接着部５８と、上側に位置する後方シート６８の両サイドの接着部６０と、をホットメルト等の既知の方法で接合することにより、ウェスト開口と一対のレッグ開口を有するパンツ型オムツ８０となる。
図１２は、その略中央部に吸収性物品（図１２に断面で示される主要部）を配置したパンツ型オムツの横断面（図１３のＸ−Ｘ’断面）を示している。この図において上から、トップシート１２が吸収性物品の上面全体を覆っており、その下に粒状要素１６を小包体１８に包むことにより形成される順応構造体２４が配置され、その下に、分割された吸収体２３が中央の吸収体２３を上記順応構造体２４の略真下に置いた状態で横に並んで３つ配置されている。この吸収体２３の下には、バックシート１４が配置され、両サイドに延びるサイドシート８３の下に弾性体８２が両側に配置されている。その下には、更に別の弾性体８１が両サイドに配置されている。
図１３は、このパンツ型オムツ８０の前駆体を展開して上から見た平面図である。中央部に、幅狭で順応構造体２４が前後方向に配置され、図中その下には前方吸収体２６（第１吸収部）が、その上には後方吸収体２７（第１吸収部）が、その両脇にはサイド吸収体２８（第２吸収部）が配置されている。両サイドの湾曲部分にはレッグ股下ギャザー部８７があり、そこに弾性体８１が配置されている。また、両サイドの湾曲部分上方には、レッグ脇部７４が配置されている。このパンツ型オムツ８０には、更に、吸収体ギャザー８５が吸収性物品の両側に沿うように配置されており、以下に述べるような形状を形成している。後方吸収体２７の上側には後方シート６８があり、その両サイドに延びる弾性体６２を配した弾性部を両脇に有する。後方シート６８の上端には、弾性体６４を配した弾性部がある。前方吸収体２６の下側には前方シート６６があり、その両サイドに延びる弾性体６２を配した弾性部を両脇に有する。
図１３の接着部５８と６０とを接着し、このパンツ型オムツ８０の組み立てを開始すると、吸収体ギャザー８５の収縮に伴って引っ張られることにより、第２吸収部が立ち上がる。これは、第４の実施例のレッグ股下ギャザー部７２と同様の作用である。しかし、弾性体が配置される（延びる）方向に対してレッグ股下ギャザー部７２のように足ぐり周りと同一線上にはない。従って、２つの引っ張り力がそれぞれ分離して作用するため、吸収体ギャザー８５は、レッグ股下ギャザー部７２に比べて、レッグ股下ギャザー部に作用すべき力の分だけ軽減した力を発揮すればよいことになる。従って、吸収体ギャザー８５を構成する弾性体８２は、使用等による弾性体の機能に与えられるダメージを低減することができ、かつ、肌へのギャザーのあたりを弱くすることができる。本実施例では、パンツ型オムツを１つの例としてあげたが、オープンタイプでもよく、更には、アウター（身ごろシート）と一体化しない足ぐり付きパットとしても応用できる。また、第１吸収部の少なくとも一部をパットとして独立させて、パンツ型オムツとパットという組合わせも可能である。更には、テキスタイルショーツとパットとの組合わせも可能である。
［第６実施形態の複合生理用品］
図１４〜図１６は、本発明による第６の実施形態を示している。これは、吸収性物品（図１４に断面で示されているものの主要部）を適用した係止部のないショーツタイプのオムツ９０である。図１４は、着用者を基準として略中央の横断面（中央部のみ）を示したものである。図中上から、吸収性物品の上面を覆っているトップシート１２、その下で粒状要素１６を小包体１８によって包んだ順応構造体２４、その下には、吸収体２２が広がり、下部にはバックシート１４が配置されている。吸収性物品が載っているシート９２はサイドに延び足ぐりのところで終わっている。このサイド部分の下側に弾性体９４が配置され、足への密着性を向上させると共に、漏れを防ぐ構造となっている。更にその下には、最小包体となる身ごろシート９６が配置される。
図１５は、この係止部のないショーツタイプのオムツ９０を広げた平面図（但し、トップシート１２は、全体を覆っているのでトップシート１２を透視した状態で表示）である。身ごろシートには、弾性体６２、６４が周縁に沿うように配置されている。これらの弾性体６２，６４は、伸張状態で身ごろシートに貼付けられているため、緩めるとパンツ形状となる。この状態が図１６に示してある。弾性体６４と６２により、パンツのウェスト部が形成されているのがわかる。足ぐりの周りには弾性体９４からなるギャザーがあり、この足ぐりから見える順応構造体２４と吸収体２５が積層された状態で見えている。
［第７実施形態の複合生理用品］
図１７〜図１９には、本発明による第７の実施形態が示してある。これは、もう一つのパンツ型オムツ１００を示している。このパンツ型オムツ１００は、図中下側の前方シート６６の両サイドの接着部５８と、後方シート６８の両サイドの接着部６０と、をホットメルト等の既知の方法で接合することにより、ウェスト開口と一対のレッグ開口を有するパンツ型オムツ１００となる。
図１７は、その略中央部に吸収性物品（図１７に断面で示されるものの主要部）を配置したオムツの横断面（図１９のＸ−Ｘ’断面）を示している。この図において上から、トップシート１２が吸収性物品の上面全体を覆っており、その下に粒状要素１６を小包体１８に包むことにより形成される順応構造体２４が配置され、その下に、分割された吸収体２０が、略同じ幅で配置されている。その下にはスリット２１で分断されているものの一体型の吸収体２２が横に広がって配置されている。この吸収体２２の下には、バックシート１４が配置され、両サイドに延びるサイドシート（又はレッグ股下ギャザー部のサイドシード）１０４の下に弾性体８２が両側に配置されている。その下には、更に別の弾性体８１が最外層シート１０２に縫い込まれるように両サイドに配置されている。ここで、図１９は、このパンツ型オムツ１００を展開し、上から見た平面図であり、この平面図において平面的に見た場合、中央の順応構造体２４と吸収体２０、２２を含む部位の両側にあってスリット２１で切られた吸収体２２を含む部位を第２吸収部と呼び、それ以外の吸収体を含む部位を第１吸収部と呼ぶ。中央部に、幅狭で順応構造体２４が前後方向に配置され、図中その下側には前方吸収体２６（第１吸収部）が、その上側には後方吸収体２７（第１吸収部）が、その両脇にはサイド吸収体２８（第２吸収部）がスリット２１で切り分けた状態で配置されている。両サイドの湾曲部分にはレッグ股下ギャザー部８７があり、そこに弾性体８１が配置されている。また、両サイドの湾曲部分上方には、レッグ脇部７４が配置されている。後方吸収体２７の上側には後方シート６８があり、その両サイドに延びる弾性体６２を配した弾性部を後方シート６８の中央部（弾性体なし）の両脇に有する。後方シート６８の上端には、弾性体６４を配した弾性部がある。前方吸収体２６の下側には前方シート６６があり、その両サイドに延びる弾性体６２を配した弾性部を両脇に有する。
ここで、上記トップシート１２は、液体透過性を有するシートを好適に用いることができる。例えば、ＰＥ／ＰＰ、ＰＥ／ＰＥＴ、ＰＥ／ＰＥＴ等の合成繊維からなる親水性不織布から選ばれ得る。バックシート１４は、液体不透過性のプラスチックフィルムやラミネートシートを用いることができる。最外層シート１０２には、疎水性シートを用いることができる。例えば、ＰＰのスパンボンドやメルトブローン不織布、ＰＰ、ＰＥＴの複合繊維からなるスパンレース不織布、フィルムと不織布の複合シート等から選ぶことができる。所定の耐久性を有し、できるならば、外観や肌触りが良いことが好ましく、色や柄をつけることができればより好ましい。サイドシート１０４は、疎水性シートでポリオレフィン系のスパンボンド／ＳＭＳ不織布等から選ばれ得る。ＳＭＳ不織布とは、ＰＰの不織布からなるスパンボンドの間に、ＰＰの不織布からなるマイクロウェッブを挟み、三層構造を形成している不織布のことを言う。
吸収体２０，２２は、吸収コアは親水性繊維やＳＡＰやそれらを複合したシートから成ることができる。弾性体８１，８２は、天然ゴム、合成ゴム、熱可塑性合成樹脂からなる弾性糸或いはシートから選ばれ得る。順応構造体２４の粒状要素１６は、ポリオレフィンや発泡ウレタンからなるビーズを多数寄せ集めたもので構成される。ビーズの大きさは、平均直径が約１〜約１０ｍｍ程度である。このビーズの大きさは、小さすぎると、液透過性が劣り、大きすぎるとゴツゴツ感がし、また、全体として固い感じがする。ビーズは袋状の不織布に入れたり透過性の容器などに入れて形成される。順応構造体２４については、目付けが約１００〜約５００ｇ／ｍ２で、厚みは約１０〜約２０ｍｍで、体圧がかかっても約７ｍｍ以上を維持するのが好ましい。幅は約３０〜約５０ｍｍ、長さは約１８０ｍｍである。
図１８では、本実施例のパンツ型オムツが着用された状態の断面図（図１９のＸ−Ｘ’相当部）を示している。図中に表されている第１吸収部は、上から、トップシート１２、小包体１８とその内容物である粒状要素１６とからなる順応構造体２４、第１吸収体２０、第２吸収体２２、バックシート１４、及び、最外層シート１０２から構成されている。吸収体は１又はそれ以上の層から構成することができる。第２吸収部も同様に上から、トップシート１２、第２吸収体２２、バックシート１４、及び、最外層シート１０２から構成されている。第１吸収部の各構成要素と第２吸収部の各構成要素とは、全く同じ材料構成からなるものであっても、全く異なる材料構成からなるものであっても、その中間であってもよい。順応構造体２４が配置される第１吸収部は、順応構造体２４が配置されない第２吸収部に比べ、厚みが厚く、剛性が高くなっている。レッグ股下ギャザー部１０４は、最外層シート１０２とレッグ股下ギャザー部１０４との間に弾性体８２を伸張状態で貼付けて形成され、ギャザーは、後にパンツ組立工程において伸張状態を緩めることにより形成される。弾性体８２を、伸張状態にする時には、フリーの状態に比べて、約１．５倍から約３倍に伸ばすことが好ましい。約１．５倍に満たないと第２吸収部の起立が十分ではなく、約３倍を超えると肌へのあたりがきつくなるからである。サイドシート１０４は、サイド端の接合部（ホットメルトなどの方法によりサイドシート１０４を最外層シート１０２とを接着する部分）で弾性体８２をくるんでいてもよく、また、弾性体８２は、もう少し内側に位置することもできる。レッグ股下ギャザー部１０４及び第１吸収部と第２吸収部の剛性差によって、第１吸収部の両側に第２吸収部が立ち上がり、断面カップ形状（又はコの字形状）を示す（図１８）。また、第１吸収部が荷重時に一定の厚みを維持することによって、その高さが維持されるので、第２吸収部の起立は維持される。
図１８〜２１Ｃを参照しつつ、この実施例の作用を説明する。本実施例のパンツ型オムツを組み立てるときに、レッグ股下ギャザー１０４が収縮し（又は縮み）引張り力を働かせることによって、曲げ剛性が第１吸収部より低い第２吸収部が第１吸収部の両側に起立する。これは、図１９において中央の第１吸収部より所定の距離だけ左右に隔てられたところに、図中略垂直に伸張状態の弾性体が配置され、この伸張状態を緩和させた際に、略中央の縦長の第１吸収部がその形状を維持しようとするのに対して、上記弾性体が配置された部分が収縮する。このため、この第１吸収部が相対的により縦長となり、余分な長さを解消するために所謂船底形状となるからである。つまり、船底形状には、起立した側面がその船底の両側に配置されている。このとき、立ち上がる第２吸収部２８の吸収体は上記縮んだ部分に合わせるように縮む若しくは湾曲することが好ましい。第２吸収部の起立を促進するために、第１吸収部と第２吸収部の間に剛性差をつけると好ましい。例えば厚みを大きく違えたり、スリットを入れたり、切り離したり、することができる。これにより、股下部にＵ字形状の吸収部を形成する。装着した際、違和感を感じさせないため、第１吸収部の股下中央部の幅は、約５０ｍｍ以下が好ましい。そして、起立した第２吸収部が体圧等で潰れないようにするために、第１吸収部の股下中央部に加圧剛性の高い層を配置するとよい。体圧がかかっても約１０ｍｍ以上の厚みが残れば、第２吸収部の起立を有効的に使え、更に好ましくは、第２吸収部の高さ（幅）同等であれば、第２吸収部を潰すことはない。また、レッグ股下ギャザー１０４よりもレッグ脇部７４の引張強度が非連続的に高くなっているため、レッグ股下ギャザー１０４により起立した第２吸収部を常に引き上げる（又はつり上げる）ようになっている（図２０参照）。これらにより、Ｕ字形状を維持する。
図２１Ａ、図２１Ｂ及び図２１Ｃにこのパンツの着用状態を示す。図２１Ａでは、通常の立っている体勢での本実施例のパンツの状態を示している。第１吸収部３８は、陰部３６に密着している。この状態を拡大したのが図２１Ｂである。図中のサイド１０８は、第２吸収部の外側を示している。図２１Ｃは、足の動かした時の状態を示し、ここでは開脚した状態を示している。この図からわかるように、図中のサイド１０８は、開脚したときに角度が広がり、第１吸収部３８は股間に密着し、常に排尿口に吸収面が存在する。このように、開脚や片足上げなどのような動きにより股間幅が変化しても、レッグ股下ギャザー１０４やレッグ脇部７４が常に足ぐり周りに存在し動きに応じて、第２吸収部の起立角度を変化させるので、股下には常に一定の吸収容積が確保され、また、隙間が発生することがない（図２１Ａ，図２１Ｂ及び図２１Ｃ）。このような構成としたために、股下部のフィット性を高めながら吸収力を低下させることなく股下部からの漏れを防止できる。また、足の動きや姿勢によっても任意の吸収部位形状を維持し、一定の吸収容積を確保できる。更に、吸収面が常に股間をカバーするように存在し、股間に密着することができる。
以上のように、本発明の吸収性物品では、身体に当接して体液等を効果的に吸収するために、吸収体とそれを被覆するシート部材とを含む吸収性物品に更に順応構造体を前記吸収体の身体側に配置させたので、身体と吸収性物品との間に隙間ができにくく、効果的に吸収することができる。また、この順応構造体は、柔軟な小包体に粒状要素をゆるく充填したため、微妙な身体の凹凸に対応して変形することができる。さらに、この吸収性物品をパンツ型オムツのようなものに適用すれば、好適に漏れが殆どないオムツを提供することができる。このようなオムツに、レッグ股下ギャザー部の弾性とレッグ脇部の弾性を調整することにより、また、吸収性物品の着用者の立場から見て左右方向において中央部の吸収体の剛性を、そのサイドの吸収体の剛性に比べて高くすることにより、オムツを着用した時に船底状態となるような、断面コの字（又はコップ）形状とすることができる。このため、着用者の座位を含めた体勢に対応して、吸収性物品の中央吸収部位排尿口に密着させることができる。特に座位の場合、体圧により吸収性物品が押しつぶされないような粒状要素を、上記順応構造体に充填することが、この断面コの字（又はコップ）形状の特性を生かすのには好ましい。
【図面の簡単な説明】  図１Ａは、本発明の第１実施形態の吸収性物品の断面図である。
図１Ｂは、本発明の第１実施形態の吸収性物品のトップシートを透視した状態で表示した平面図である。
図２Ａは、女性の股間部を含む身体特徴を模式的に表した断面図である。
図２Ｂは、女性の股間部を含む身体特徴を模式的に表した下視図である。
図３Ａは、本発明の第１実施形態の吸収性物品の順応構造体を示したものである。
図３Ｂは、本発明の第１実施形態の吸収性物品の順応構造体を示したものである。
図３Ｃは、本発明の第１実施形態の吸収性物品の順応構造体を示したものである。
図３Ｄは、本発明の第１実施形態の吸収性物品の順応構造体を示したものである。
図３Ｅは、本発明の第１実施形態の吸収性物品の順応構造体を示したものである。
図４は、本発明の第１実施形態の吸収性物品の着用状況を示した図である。
図５は、本発明の第１実施形態の吸収性物品の応用例を示したものである。
図６は、本発明の第２実施形態の吸収性物品（陰唇間製品）の断面を示したものである。
図７は、本発明の第２実施形態の吸収性物品（陰唇間製品）の平面図を示したものである。
図８は、本発明の第３実施形態である吸収性物品を用いたパンツ型オムツの中央部の断面を示したものである。
図９は、本発明の第３実施形態である吸収性物品を用いたパンツ型オムツの展開平面図（トップシートを透視した状態）を示したものである。
図１０は、本発明の第４実施形態である吸収性物品を用いたパンツ型オムツ前駆体の中央部の断面を示したものである。
図１１は、本発明の第４実施形態である吸収性物品を用いたパンツ型オムツ前駆体の展開平面図（トップシートを透視した状態）を示したものである。
図１２は、本発明の第５実施形態である吸収性物品を用いたパンツ型オムツの中央部の断面を示したものである。
図１３は、本発明の第５実施形態である吸収性物品を用いたパンツ型オムツの展開平面図（トップシートを透視した状態）を示したものである。
図１４は、本発明の第６実施形態である吸収性物品を用いたパンツ型オムツの中央部の断面を示したものである。
図１５は、本発明の第６実施形態である吸収性物品を用いたパンツ型オムツの展開平面図（トップシートを透視した状態）を示したものである。
図１６は、本発明の第６実施形態である吸収性物品を用いたパンツ型オムツの斜視図を示したものである。
図１７は、本発明の第７実施形態である吸収性物品を用いたパンツ型オムツの中央部の断面を示したものである。
図１８は、本発明の第７実施形態である吸収性物品を用いたパンツ型オムツ着用時の中央部の断面を示したものである。
図１９は、本発明の第７実施形態である吸収性物品を用いたパンツ型オムツの展開平面図（トップシートを透視した状態）を示したものである。
図２０は、本発明の第７実施形態である吸収性物品を用いたパンツ型オムツの船底構造を示した斜視図である。
図２１Ａは、本発明の第７実施形態である吸収性物品を用いたパンツ型オムツ着用状態の全体像を示したものである。
図２１Ｂは、本発明の第７実施形態である吸収性物品を用いたパンツ型オムツ着用状態の拡大図（静止状態）を示したものである。
図２１Ｃは、本発明の第７実施形態である吸収性物品を用いたパンツ型オムツ着用状態の拡大図（足を動かした状態）を示したものである。
2004000188.tif 000004
2004000188.tif 000005
2004000188.tif 000006
2004000188.tif 000007
【図４】
2004000188.tif 000008
【図５】
2004000188.tif 000009
【図６】
2004000188.tif 000010
【図７】
2004000188.tif 000011
【図８】
2004000188.tif 000012
【図９】
2004000188.tif 000013
【図１０】
2004000188.tif 000014
【図１１】
2004000188.tif 000015
【図１２】
2004000188.tif 000016
【図１３】
2004000188.tif 000017
【図１４】
2004000188.tif 000018
【図１５】
2004000188.tif 000019
【図１６】
2004000188.tif 000020
【図１７】
2004000188.tif 000021
【図１８】
2004000188.tif 000022
【図１９】
2004000188.tif 000023
【図２０】
2004000188.tif 000024
2004000188.tif 000025
【国際調査報告】
2004000188.tif 000026
2004000188.tif 000027
2004000188.tif 000028
2004000188.tif 000029